(57)【要約】【課題】流下する水量が少ない場合でも、階段の蹴上げ面又は前垂れ部に筋状の汚れを生じさせない階段用床材及び階段用床材で被覆された階段を提供する。【解決手段】階段Ｓの踏み面Ｓ２と蹴上げ面Ｓ３を被覆する階段用床材１であって、階段Ｓの踏み面Ｓ２の全部若しくは一部を被覆する踏み面部２と、階段Ｓの蹴上げ面Ｓ３の一部若しくは全部を被覆する前垂れ部３からなり、踏み面部２と前垂れ部３が交差するコーナー部４近傍に、踏み面部２から前垂れ部３に亘る肉盛部５を間隔をあけて複数設け、複数の肉盛部５間に形成された縦方向の溝６ｂに、少なくともその一部が溝６ｂ内にあると共に該溝６ｂを横断する水切り突起７を設けた構成とする。肉盛部５を設けることで水が一旦堰止められて、水平方向の溝６ａに集水されて流入するので、縦方向の溝６ｂを流下する水量が多くなり、水切り突起７で適切に水切りできるので、筋状の汚れが付着するのを防止できる。【選択図】図４
2010229634.tif 000002
【特許請求の範囲】
【請求項１】
階段の踏み面と蹴上げ面を被覆する階段用床材であって、
階段の踏み面の全部若しくは一部を被覆する踏み面部と、階段の蹴上げ面の一部若しくは全部を被覆する前垂れ部からなり、
上記踏み面部と上記前垂れ部が交差するコーナー部近傍に、踏み面部から前垂れ部に亘る肉盛部を間隔をあけて複数設け、
上記複数の肉盛部間に形成された縦方向の溝に、少なくともその一部が該溝内にあると共に該溝を横断する水切り突起を設けたことを特徴とする階段用床材。
【請求項２】
上記水切り突起の縦断面形状が、先端が前方へ突き出す前下りの略三角形状であって、その水切り突起が上記溝の下端部に設けられていることを特徴とする請求項１に記載の階段用床材。
【請求項３】
上記水切り突起の先端が、肉盛部の下端よりも下方に位置することを特徴とする請求項１又は請求項２に記載の階段用床材。
【請求項４】
請求項１ないし請求項３のいずれかに記載の階段用床材で、階段の踏み面と蹴上げ面を被覆したことを特徴とする階段用床材で被覆された階段。
【発明の詳細な説明】
【技術分野】
【０００１】
本発明は、階段の踏み面と蹴上げ面を被覆する階段用床材及びその階段用床材で被覆された階段に関するものである。
【背景技術】
【０００２】
階段、特に屋外の階段は、その表面を雨水や清掃水が流下すると、階段の表面に溜まった土埃や汚れが水と共に流れ落ちるため、階段の蹴上げ面に筋状の汚れが付着して、美観が低下するという問題がある。
【０００３】
このような問題に対処するため、踏み面から蹴上げ面を合成樹脂製或いは合成ゴム製の被覆材で被覆した階段においては、蹴上げ面を被覆する被覆材の前垂れ部の表面に、横方向に延びる水切り突起を一体に形成することが提案されている（例えば特許文献１参照）。
【先行技術文献】
【特許文献】
【０００４】
【特許文献１】特開２００７−５６５４９号公報
【発明の概要】
【発明が解決しようとする課題】
【０００５】
しかしながら、上記特許文献１の階段用床材は、水切り突起が階段の横方向に亘って均一に設けられているだけなので、水が疎らとなって蹴上げ面全体を流下してしまい、水切り突起で水切りする部分あたりの水量が少なくなってしまうので、水が充分に切れず、特に水切り突起の下面が水平である場合や、蹴上げ面を流下する水量が少ない時などには、水が表面張力や風によって水切り突起の下側に回り込んで、その水が蹴上げ面を伝って階段を汚してしまうという問題があった。
【０００６】
本発明は上記の問題に鑑みてなされたもので、その解決しようとする課題は、流下する水量が少ない場合でも、適切に水を切ることができ、階段の蹴上げ面又は前垂れ部に筋状の汚れを生じさせない階段用床材及びその階段用床材で被覆された階段を提供することにある。
【課題を解決するための手段】
【０００７】
上記目的を達成するため、本発明に係る階段用床材は、階段の踏み面と蹴上げ面を被覆する階段用床材であって、階段の踏み面の全部若しくは一部を被覆する踏み面部と、階段の蹴上げ面の一部若しくは全部を被覆する前垂れ部からなり、
上記踏み面部と上記前垂れ部が交差するコーナー部近傍に、踏み面部から前垂れ部に亘る肉盛部を間隔をあけて複数設け、上記複数の肉盛部間に形成された縦方向の溝に、少なくともその一部が該溝内にあると共に該溝を横断する水切り突起を設けたことを特徴とするものである。
【０００８】
本発明の階段用床材においては、上記水切り突起の縦断面形状が、先端が前方へ突き出す前下りの略三角形状であって、その水切り突起が上記溝の下端部に設けられていることが好ましい。特に、上記水切り突起の先端が、肉盛部の下端よりも下方に位置する階段用床材が好ましい。
【０００９】
次に、本発明の階段用床材が被覆された階段は、上記のいずかの階段用床材で、階段の踏み面と蹴上げ面を被覆したことを特徴とするものである。
【発明の効果】
【００１０】
本発明の階段用床材は、踏み面部と前垂れ部が交差するコーナー部近傍に、踏み面部から前垂れ部に亘る複数の肉盛部を設けることにより、踏み面部側の水平方向の溝と、それに連通する前垂れ部側の縦方向の溝が形成される。このため、階段用床材の踏み面部に降った雨水や清掃水、或いは上段の踏み面部から流下してきた水は、踏み面部側の肉盛部に一旦堰止められて、肉盛部間に形成された水平方向の溝に集水されて流入する。このように、踏み面部の水が水平方向の溝内に集水されるため、縦方向の溝を流下する水量は、肉盛部がない場合よりも遥かに多くなって、流下する水が途切れることが少なくなる。従って、肉盛部間の縦方向の溝に設けられた水切り突起によって水が切れ易くなり、水切り突起に水滴が付着しにくくなるので、水切り突起の下側を水が伝って、階段用床材の前垂れ部や階段の蹴上げ面に筋状の汚れが付着することがない。また、この水切り突起は溝に設けられているため、水切り突起の先端が肉盛部よりも多少突出していたとしても大部分は溝内にあり、歩行者が足をぶつけたり荷物をぶつけたりしても、大部分が肉盛部で保護されて破損しにくいため、水切りの機能を失う心配が少ない。
【００１１】
また、上記水切り突起の縦断面形状が、先端が前方へ突き出す前下りの略三角形状であって、その水切り突起が上記溝の下端部に設けられている階段用床材は、水切り突起を、肉盛部によって形成された縦方向の溝の下端部に設けることで、乱流が収まって流れも安定した勢いのある水が水切り突起に達することになり、しかも、水切り突起の縦断面形状を前下りの略三角形状とすることで、流下する水が水切り突起の傾斜した前面を流れると、前方向きのモーメントを与えられた状態で流下するので、水切り突起の下面に回り込むことなく、水切り突起の先端（前面下端）からやや前方向きに落下しようとするので、水切り性能が一層向上する利点がある。
尚、縦方向の溝の下端部とは、縦方向の溝を高さ方向に二等分したとき、その二等分の境界線よりも下側部分のことをいう。
【００１２】
更に、上記水切り突起の先端が、肉盛部の下端よりも下方に位置する階段用床材は、水量が特に少なくて勢いのない水が水切り突起よりなかなか落下せずに、水切り突起の先端部に一時的に滞溜して水滴となってしまったとしても、その水滴が表面張力や風などの影響で、水切り突起の先端を横づたって肉盛部に広がることがなくなるので、階段の蹴上げ面に筋状の汚れが付着するのを確実に防止することができる。
【００１３】
次に、本発明の階段用床材で被覆された階段は、上記のような優れた作用効果を奏する階段用床材で階段を被覆することによって、階段用床材の前垂れ部又は階段の蹴上げ面に筋状の汚れが付着して美観を損なうことはない。
【図面の簡単な説明】
【００１４】
【図１】本発明の一実施形態に係る階段用床材を示す斜視図である。
【図２】同階段用床材の要部説明図である。
【図３】同階段用床材を構成する水切り突起の拡大図である。
【図４】本発明の一実施形態に係る階段用床材で被覆された階段を示す概略斜視図である。
【図５】本発明の他の実施形態に係る階段用床材を示す部分正面図である。
【図６】本発明の更に他の実施形態に係る階段用床材の要部説明図である。
【発明を実施するための最良の形態】
【００１５】
以下、図面を参照して本発明の具体的な実施形態を詳述する。
【００１６】
図１に示す本発明の階段用床材１は、軟質塩化ビニル樹脂やポリオレフィン樹脂などの合成樹脂や合成ゴム等で形成されたもので、図４に示すように、階段Ｓの踏み面Ｓ２から蹴上げ面Ｓ３にかけてを被覆するために用いられる。この階段用床材１は、階段Ｓの踏み面Ｓ２を被覆する踏み面部２と、階段Ｓの蹴上げ面Ｓ３の上側部分を被覆する前垂れ部３からなり、踏み面部２と前垂れ部３が交差するコーナー部４近傍には、踏み面部２から前垂れ部３に亘る略Ｌ字状の肉盛部５が一定の間隔をあけて横方向に複数設けられている。このように、間隔をあけて肉盛部５を設けることで、肉盛部５，５の間には溝６が形成されて、その溝６のうち縦方向の構６ｂの下端に水切り突起７が設けられている。
尚、本実施例では、踏み面Ｓ２の全部を踏み面部２で被覆しているが、踏み面Ｓ２の一部、即ちコーナー部４近傍の前側のみを被覆するようにしてもよいし、横方向の一部のみを被覆するようにしてもよい。また、蹴上げ面Ｓ３においても、同様で、コーナー部４近傍の上側部分を被覆するだけではなく、全部を被覆するようにしてもよい。
【００１７】
上記階段用床材１の踏み面部２の表面には、図１に示すように、滑り止めのために多数の防滑突起８と複数の防滑用凸条９が設けられている。この防滑突起８は、階段の昇降時によく踏まれる手前側の数が多く、奥側の数が少なくなるように設けられている。また、防滑用凸条９は、肉盛部５近傍に横方向に設けられている（凸条９は横方向に連続して設けられるのではなく、踏み面部２の排水を考慮して間欠的に設けられている）。このように、踏み面部２の表面に多数の防滑突起８と複数の防滑用凸条９を設けることで、肉盛部５の作用で雨水が滞留して踏み面部２に水が溜まった状態になったとしても、歩行者の足裏は防滑突起８と防滑用凸条９で支持されて、直接、足が水溜まりに漬かることがないので、水濡れや水跳ねなどの不快な現象を生じることもなく、また物理的な防滑効果によって、雨などで滑りやすい日でも階段事故を防止することができる。
【００１８】
上記踏み面部２は、階段Ｓの踏み面Ｓ２に前方への水勾配が付与されている場合には、単に踏み面部２を階段Ｓの踏み面Ｓ２に接着固定するだけで、前方への水勾配を確保できることになる。また、階段Ｓの踏み面Ｓ２に前方への水勾配が付与されていない場合等には、この踏み面部２を前方へ向うほど厚みを薄く形成することで、水勾配を付与すればよい。このような構成の階段用床材１の踏み面部２は、階段Ｓの踏み面Ｓ２全体を被覆することが最も好ましいが、踏み面Ｓ２の蹴上げ面Ｓ３に近い部分のみを被覆する態様を排除するものではない。
【００１９】
次に、階段用床材１の前垂れ部３は、図４に示すように、階段Ｓの蹴上げ面Ｓ３の上側部分を被覆するもので、具体的には、階段Ｓの蹴上げ面Ｓ３の上端から下方へ２０〜１００ｍｍ程度（本実施形態では４０ｍｍ）までを被覆している。
尚、本実施形態は、階段Ｓの蹴上げ面Ｓ３の上側部分のみを被覆したものであるが、前述したように、前垂れ部３を下方へ延伸して階段Ｓの蹴上げ面Ｓ３全体を被覆するようにしてもよい。また、下段の階段用床材１の踏み面部２を後方に延伸し、蹴上げ面Ｓ３に沿って立ち上げることで、前垂れ部３で被覆されていない階段Ｓの蹴上げ面Ｓ３（下側部分）を被覆するようにしてもよい。この場合、延伸した下段の踏み面部２の先端に、上段の階段用床材１の前垂れ部３を上から重ねて被覆することで、踏み面部２の先端が階段Ｓの蹴上げ面Ｓ３から剥離することを防止するとよい。
【００２０】
上記踏み面部２と上記前垂れ部３が交差するコーナー部４には、図１に示すように、複数の肉盛部５が、階段用床材１の横方向に一定の間隔をあけて規則的に設けられている。このように、複数の肉盛部５を一定の間隔をあけて設けることで、２つの肉盛部５，５の間には１本の溝６（水平方向の溝６ａ及び縦方向の溝６ｂ）が形成される。この肉盛部５は、踏み面部２から前垂れ部３に流れる水を一旦堰止めて、肉盛部５，５間に形成された前記溝６内に確実に誘導できるように設けられたものである。従って、肉盛部５の高さ（肉厚）が１ｍｍよりも低いと、水が肉盛部５によって適切に堰止められずに、肉盛部５の表面を通過したり、一旦溝６に集めた水が溝６の外に流出する恐れが生じるので好ましくない。また、肉盛部５の高さ（肉厚）は５ｍｍ程度あれば堰止め効果には充分で、逆に５ｍｍ以上であると、階段Ｓの昇降時に人が躓いてしまう恐れが生じるので、この肉盛部５は、踏み面部２及び前垂れ部３の表面から１〜５ｍｍ程度肉盛されていることが好ましく、実施形態の肉厚は２ｍｍとなっている。肉盛部５が上記寸法の範囲内にあると、歩行の邪魔になることなく、踏み面部２から前垂れ部３に流れ落ちる水を確実に溝６内に水を誘導することができ、集めた水を溝６の外に流出させる心配もない。
【００２１】
また、この肉盛部５は、踏み面部２から前垂れ部３に亘って連続して設ける必要があり、踏み面部２のみや前垂れ部３のみに設けても、後述する水切り突起７で適切に水切りできないので、本発明が解決しようとする課題を達成することができない。即ち、踏み面部２だけに肉盛部５を設けても、一旦集水した水が前垂れ部３を広がって流下してしまうため、肉盛部５を設ける意味を成さない。また、前垂れ部３だけに肉盛部５を設ける（前垂れ部３の途中に設けることも含む）と、踏み面部２の水勾配に従って流れてきた水が、溝６に流入すると共に肉盛部５の表面をも流下してしまうので、その肉盛部５の表面を流下した水の筋状の汚れが階段Ｓの蹴上げ面Ｓ３に付着してしまう。従って、肉盛部５は踏み面部２から前垂れ部３に亘って連続して設ける必要がある。
【００２２】
上記肉盛部５と溝６は、階段用床材１の横幅に亘って均等に設けることが好ましく、階段用床材１の横幅に対する溝６の横幅（肉盛部５，５間の間隔）の合計比率が１０〜３０％程度（実施形態では１７．５％）であると、水量が少ない場合でも溝６内に水が誘導され、水量が多い場合でも、溝６内から水が溢れ出ることがない。これらを勘案して、肉盛部５，５間の間隔、即ち溝６の横幅は１〜１０ｍｍ程度、肉盛部５の横幅は１０〜１００ｍｍ程度とすることが好ましく、このような範囲であると、溝６内に水を適切に誘導して、スムーズに溝６内を流すことができる。
尚、実施形態では溝６の横幅が５ｍｍ、肉盛部５の横幅が４７ｍｍとなるように形成されている。
【００２３】
また、踏み面部２側の肉盛部５の奥行き寸法（水平方向の溝６ａの奥行き寸法）、及び、前垂れ部３側の肉盛部の縦寸法（縦方向の溝６ｂの縦寸法）が短すぎると、一度に大量の水が溝６内に流入した場合、溝６内から水が溢れ出す恐れが生じるので、踏み面部２側の肉盛部５の奥行きを１０〜５０ｍｍ、前垂れ部３側の肉盛部５の縦寸法を１０〜５０ｍｍとすることが好ましく、本実施形態では、踏み面部２側の肉盛部５の奥行きが２５ｍｍ、前垂れ部３側の肉盛部５の縦寸法（水切り突起を含む）が２０ｍｍとなるように形成されている。肉盛部５をこのような寸法とすることで、集水された水が溝６内（特に縦方向の溝６ｂ内）を流れるときには、乱流が収まって水の流れを安定させることができる。
【００２４】
以上のような構成の肉盛部５は、前述した効果の他に、階段用床材１で最も耐久性が要求されるコーナー部４に設けられるので、階段用床材１の耐久性の向上にも寄与する。
尚、上記のように、踏み面部２と前垂れ部３の表面を肉盛りして肉盛部５を設ける代わりに、踏み面部２と前垂れ部３の表面に凹み溝を設けて周りの肉厚を薄くすることで肉盛部５を形成してもよい。また、上記のように、肉盛りして肉盛部５を設けると共に、更に肉盛部５，５間に凹み溝を設けてもよい。
また、肉盛部５は、上記踏み面部２や前垂れ部３と一体に成形する必要はなく、別体で略Ｌ字状の肉盛部５を形成して接着剤等で踏み面部２及び前垂れ部３に接着固定してもよい。
【００２５】
上記肉盛部５，５間に形成された前垂れ部３側の縦方向の溝６ｂの下端部には、図１、図２に示すように、水切り突起７が縦方向の溝６ｂを横断するように設けられている。この水切り突起７は、その全部が縦方向の溝６ｂ内にある必要はないが、縦方向の溝６ｂを流下してきた水を確実に水切りできるように、少なくともその起点Ｐが縦方向の溝６ｂ内に位置するように設ける必要がある。
尚、縦方向の溝６ｂの下端部とは、縦方向の溝６ｂを高さ方向に二等分したときの境界線よりも下側部分のことを指す広い概念であるが、本実施形態のように、水切り突起７は、できるだけ縦方向の溝６ｂの下側に設けることが好ましい。
【００２６】
上記水切り突起７は、図３に示すように、水切り突起７の前面７ａを、前下りに傾斜する凹曲した傾斜面となし、水切り突起７の下面７ｂを、水平に対する傾斜角βが前面７ａの傾斜角αよりも小さい傾斜角で前下りに傾斜する緩傾斜面とした、縦断面形状が、先端７ｃが前方へ突き出す前下りの略三角形状をしたものである。そのため、階段用床材１の踏み面部２から縦方向の溝６ｂ内を流下してきた水は、凹曲した前面７ａに沿って、水勢が減衰されることなく前方斜め下側にスムーズに流れ、前方向きのモーメントが与えられるので、緩傾斜面とされた下面７ｂへ回り込むことなく、水切り突起７の先端７ｃ（前面下端）から落下して完全に水切りされるので、階段Ｓの蹴上げ面Ｓ３又は階段用床材１の前垂れ部３に筋状の汚れが付着するのを防止することができる。
尚、水切り突起７の縦断面形状は上記のような三角形状に限定されるものではないが、水切り性能等を勘案すると本実施形態のように三角形状が最も好ましい。
また、図２に示すように、階段の蹴上げ面Ｓ３は、コーナー部４から鉛直に対して後方よりに傾斜して設けられていること（踏み面部Ｓ２と蹴上げ面Ｓ３のコーナー角度が鋭角となる状態）が多く、このような場合は、水切り突起７の下面７ｂを溝６から直角に形成（水切り突起７の断面が略直角三角形状となる状態）してもよい。
【００２７】
上記水切り突起７の水平面に対する前面７ａの傾斜角αは、１０〜６０°程度が好ましく、傾斜角αがこの範囲内にあると、溝６ｂ内を流下する水の移動方向が垂直な方向から斜め下前方へとスムーズに移行するため、水切り突起７の下面７ｂへ回り込むことなく、適切に水切りすることができる。
尚、傾斜角αは、水を滞留させることなく水切りさせるために下向きの勢いを極端に減衰させず、また適当な前向きのモーメントを与えるために、４５°とすることが特に好ましい。また、前面７ａを少し凹面とすることで、水勢を減衰させることなく前方向きに、スムーズに導くことができるので、極めて好ましい。更に、水平面に対する下面７ｂの傾斜角βは、上記傾斜角αよりも小さく、０〜４５°程度の範囲に設定されており、傾斜角βを０°として水切り突起７の下面７ｂを水平面としてもよい。
【００２８】
上記水切り突起７の出幅は大きい方が水切り性能が高く、また、溝６を流れる水量が非常に少ないなどして先端７ｃに一時的に滞溜してしまった水が、表面張力や風などの影響で先端７ｃを横方向に移動して肉盛部５まで伝ってしまわないように、水切り突起７の出幅は、上記肉盛部５の肉厚と同等か、若しくはそれよりも大きい１〜１０ｍｍ程度とされている。この範囲にあると、溝６ｂ内を流下してきた水を完全に水切りすることができ、先端７ｃに滞溜した水が肉盛部５まで伝ってしまうことがなく、歩行者の邪魔になることもない。更に、本発明の階段用床材１は、水切り突起７の先端７ｃに一時的に滞溜した水が肉盛部５まで伝ってしまうのをより確実に防止するため、水切り突起７の先端７ａを、肉盛部５の下端よりも１〜５ｍｍ程度下方に位置するように設けている。このように、水切り突起７の出幅を大きく形成すると共に、先端７ｃを肉盛部５の下端よりも下方に位置させることで、例え水切り突起７の先端７ｃに流下してきた水が一時的に滞溜してしまったとしても、その水が肉盛部５まで伝ってしまうことがない。
【００２９】
尚、水切り突起７の水切り性能をより一層高めるため、図５に示すように、水切り突起７の先端７ｃを、前方から視て下方へ尖らせた態様も好ましい。水切り突起７の先端７ｃをこのように尖らせると、先端７ｃに水がより滞溜しにくくなって水滴が落下し易くなると共に、水滴が先端７ｃを横方向に移動することがなくなるので、両隣の肉盛部５，５に水が伝ってしまうことがなくなる。
【００３０】
また、上記水切り突起７は、縦方向の溝６ｂの上端から下方へ５〜４９ｍｍ程度の範囲内に設けることが可能であるが、水切り突起７が縦方向の溝６ｂの上側に設けられていると、水切り突起７に達した水に勢いがなく、水の流れも安定していないので、完全に水切りできない場合が生じる。従って、水切り突起７は縦方向の溝６ｂの下端部、即ち、縦方向の溝６ｂを高さ方向に二等分したときの境界線よりも下側部分に設けることが好ましい。
【００３１】
また、水切り突起７を極力目立たなくして階段用床材１の美観を向上させたい場合は、図６に示すように、上記水切り突起７の下面７ｂを肉盛部５の下端と同位置にすると共に、水切り突起７の出幅を肉盛部５の肉厚と同寸法に形成すればよい（水切り突起７の先端７ｃと肉盛部５の表面を面一にする）。
【００３２】
上記のような部材から構成される本発明の階段用床材１は、塩化ビニル樹脂などの合成樹脂を異形押出成形などによって、略Ｌ字状に押出したり、平板状に押出成形したのち略９０°折り曲げたりすることで容易に成形することができる。この時、ロールを熱圧着して所望の形状を転写させ、肉盛部５や水切り突起７を形成すればよい。また、肉盛部５や水切り突起７は必ずしも階段用床材１と一体に設ける必要はなく、別体で成形したのち接着等によって踏み面部２や前垂れ部３に固定することで設けてもよい。
【００３３】
次に、上記構成の階段用床材１で階段Ｓを被覆するには、まず、階段Ｓの踏み面Ｓ２及び蹴上げ面Ｓ３に接着剤（不図示）を塗布し、次に、階段用床材１の踏み面部２と前垂れ部３を、それぞれ階段Ｓの踏み面Ｓ２と蹴上げ面Ｓ３に配設して貼着することで施工が完了する。この際、階段用床材１のコーナー部４と階段Ｓのコーナー部Ｓ４とに隙間が生じた場合は、シーリング剤（不図示）で空隙を埋めるようにすればよい。
【００３４】
以上のような、本発明の階段用床材１及びその階段用床材１で被覆された階段Ｓは、雨が降ったり水清掃をしたりして踏み面部２が水で濡れると、その水は踏み面部２の水勾配に従って前方の前垂れ部３に流れる。この際、前垂れ部３に水切り突起７が設けられているだけでは、前垂れ部３の横方向全面に略均一な水が流れ落ちるため、特に流下する水量が少なかったり向かい風が吹いていたりすると、流下する水が水切り突起７の下面７ｂに回り込んで、前垂れ部３や階段Ｓの蹴上げ面Ｓ３を筋状に流れることになる。その結果、黒っぽい水の流れた筋が付着して美観を損ねてしまうが、本発明の階段用床材で被覆された階段Ｓは、コーナー部４に複数の肉盛部５を設けることで、水は踏み面部２側の肉盛部５に一旦堰止められて、肉盛部間５，５に形成された水平方向の溝６ａに集水されて流入するため、縦方向の溝６ｂを流下する水量は、肉盛部５がない場合よりも遥かに多くなって、流下する水が安定的に連続し、途切れることが少なくなる。その結果、縦方向の溝６ｂ内に設けられた水切り突起７によって水が切れ易くなり、水切り突起７の下面７ｂを水が伝うことがなくなって、下側に位置する階段用床材１の踏み面部２に落下するようになるので、階段用床材１の前垂れ部３や階段Ｓの蹴上げ面Ｓ３に筋状の汚れが付着してしまうことがなくなる、といった顕著な効果を奏する。
【符号の説明】
【００３５】
Ｓ    階段用床材で被覆された階段
Ｓ２  踏み面
Ｓ３  蹴上げ面
Ｓ４  コーナー部
１    階段用床材
２    踏み面部
３    前垂れ部
４    コーナー部
５    肉盛部
６    溝
６ａ  水平方向の溝
６ｂ  縦方向の溝
７    水切り突起
７ａ  水切り突起の前面
７ｂ  水切り突起の下面
７ｃ  水切り突起の先端
Ｐ    起点
８    防滑突起
９    防滑用凸条
【図１】
2010229634.tif 000003
【図２】
2010229634.tif 000004
【図３】
2010229634.tif 000005
【図４】
2010229634.tif 000006
【図５】
2010229634.tif 000007
【図６】
2010229634.tif 000008